(57)【要約】【課題】ＩＣカードを利用して施設への入場又は出場を管理するシステムへの追加処理を簡単に実現することができる発行機及びチケット処理システムを提供することである。【解決手段】実施形態の発行機は、リーダー部と、発行部と、印刷部とを持つ。リーダー部は、ＩＣチップから電子情報を読み取る。発行部は、前記リーダー部が読み取った電子情報に基づき二次元コードを作成する。印刷部は、前記発行部により作成された二次元コードを媒体に印刷する。【選択図】図４
2015176342.tif 000002
【特許請求の範囲】
【請求項１】
ＩＣチップから電子情報を読み取るリーダー部と、
前記リーダー部が読み取った電子情報に基づき二次元コードを作成する発行部と、
前記発行部により作成された二次元コードを媒体に印刷する印刷部と、
を備える発行機。
【請求項２】
前記発行部は、
前記ＩＣチップに割り当てられた固有の識別情報に基づき二次元コードを作成する請求項１に記載の発行機。
【請求項３】
前記発行部は、
前記リーダー部が読み取った電子情報と、当該電子情報に基づき作成された二次元コードを示す二次元コード情報とを対応付けた情報を、前記ＩＣチップに記憶される情報に基づき前記二次元コードの有効性を判定する処理装置によって参照可能な記憶部に記憶させる請求項１又は２に記載の発行機。
【請求項４】
請求項１から３のうちいずれか一項に記載の前記発行機と、チケット処理装置とを備えるチケット処理システムであって、
前記チケット処理装置は、
ＩＣチップから電子情報を読み取るリーダライタ部と、
二次元コードに含まれる二次元コード情報を読み取る二次元コード読取部と、
前記リーダライタ部が前記ＩＣチップから前記電子情報を読み取り可能な状態で、前記二次元コード読取部により前記二次元コード情報が読み取られた場合、前記二次元コード情報を適用した入場処理又は出場処理を実行する処理部と、を備えるチケット処理システム。
【請求項５】
前記チケット処理装置と接続され、前記チケット処理装置から受信した前記二次元コード情報に基づき、前記二次元コード情報の有効性を判定するサーバをさらに備え、
前記サーバは、
前記チケット処理装置の前記リーダライタ部が前記ＩＣチップから前記電子情報を読み取り可能な状態で、前記二次元コード読取部により読み取られた前記二次元コード情報と、前記リーダライタ部により読み取られた電子情報とが、対応付けられた情報である場合、前記二次元コードが有効であると判定し、前記チケット処理装置に対して、前記二次元コード情報を適用した入場処理又は出場処理の実行を許可する請求項４に記載のチケット処理システム。
【発明の詳細な説明】
【技術分野】
【０００１】
本発明の実施形態は、発行機及びチケット処理システムに関する。
【背景技術】
【０００２】
ＩＣカードを利用して、施設への入場又は出場を管理するとともに、使用料をＩＣカードの電子マネーで電子決済するシステムが知られている。しかしながら、このシステムに対して、使用料の割引サービス等を追加する場合、既存のシステムに使用料の割引処理を実行するための大幅な改造を行う必要があった。
【先行技術文献】
【特許文献】
【０００３】
【特許文献１】特開２０１３−６９１０５号公報
【発明の概要】
【発明が解決しようとする課題】
【０００４】
本発明が解決しようとする課題は、ＩＣカードを利用して施設への入場又は出場を管理するシステムへの追加処理を簡単に実現することができる発行機及びチケット処理システムを提供することである。
【課題を解決するための手段】
【０００５】
実施形態の発行機は、リーダー部と、発行部と、印刷部とを持つ。リーダー部は、ＩＣチップから電子情報を読み取る。発行部は、前記リーダー部が読み取った電子情報に基づき二次元コードを作成する。印刷部は、前記発行部により作成された二次元コードを媒体に印刷する。
【図面の簡単な説明】
【０００６】
【図１】第１の実施形態に係るチケット処理システム１の一例を示す図である。
【図２】第１の実施形態に係る発行機１０の一例を示す概略図である。
【図３】第１の実施形態に係るチケット処理装置７０の一例を示す概略図である。
【図４】第１の実施形態に係るチケット処理システム１の構成例を示すブロック図である。
【図５】発行リスト３２１の一例を示す図である。
【図６】発行機１０による発行処理の一例について説明するためのフローチャートである。
【図７】チケット処理システム１による出場処理の一例について説明するためのフローチャートである。
【図８】チケット処理システム１による二次元コード情報を用いた収受処理の一例について説明するためのフローチャートである。
【図９】第２の実施形態に係る入場処理の一例について説明するためのフローチャートである。
【図１０】図９に示す入場処理が実行されたＩＣカードを用いて入場処理を実行する場合の一例について説明するためのフローチャートである。
【図１１】第３の実施形態に係るチケット処理システム２の構成例を示す図である。
【発明を実施するための形態】
【０００７】
以下、実施形態のチケット処理システム１について、図面を参照して説明する。
（第１の実施形態）
図１は、第１の実施形態に係るチケット処理システム１の一例を示す図である。図１に示す通り、チケット処理システム１は、ネットワークを介してそれぞれ接続される発行機１０と、センターサーバ３０と、チケット処理装置７０と、を備える。
【０００８】
実施形態に係る発行機１０は、例えば、入場又は出場が管理される施設の入場側又は出場側に設置される。発行機１０は、例えば、駅の改札に設置され、乗車券の料金を割り引く割引券を発行する例について説明するがこれに限られない。発行機１０は、例えば、バスの入口又は出口に設置され、バスの乗車券の割引券を発行してもよい。また、発行機１０は、テーマパークの出入口、映画やコンサート等の施設の出入口に設置され、これら施設のチケットの割引券を発行してもよい。また、発行機１０は、割引が適用される施設から遠く離れた店舗の前等に設置されてもよい。
また、実施形態では、係員が、割引券を発行可能な利用者であるかどうかの認証を行い、係員が、利用者のＩＣカードをアンテナ１２に翳して割引券を発行する例について説明する。しかしこれに限られず、例えば、利用者が自身のＩＣカードをアンテナ１２に翳し、ＩＣカードから読み取られた情報に基づきセンターサーバ３０が割引券の発行を許可した場合、発行機１０が割引券を発行してもよい。
【０００９】
実施形態に係るチケット処理装置７０は、入場又は出場が管理される施設の入場側又は出場側に設置される。チケット処理装置７０は、例えば、駅の改札に設置され、ＩＣカード化された鉄道の乗車券を処理する例について説明するがこれに限られない。チケット処理装置７０は、例えば、バスの入口又は出口に設置され、ＩＣカード化されたバスの乗車券を処理するものでもよい。また、チケット処理装置７０は、テーマパークの出入口、映画やコンサート等の施設の出入口に設置され、これら施設の入場又は出場を管理するチケット等を処理するものでもよい。
【００１０】
次に、図２を参照して、実施形態に係る発行機１０の一例について説明する。図２は、実施形態に係る発行機１０の一例を示す概略図である。
図２（Ａ）は、発行機１０を正面から見た図であり、図２（Ｂ）は、発行機１０を横から見た図である。ここでは、発行機１０を正面から見たときに底面又は上面の外縁と平行である直線をＸ１軸とする。また、発行機１０を横から見たときに底面又は上面の外縁と平行である直線をＹ１軸、鉛直上方をＺ１軸とする。
【００１１】
発行機１０は、表示部１１と、アンテナ１２と、印刷部１３とを備える。表示部１１は、発行機１０の正面に設けられる。アンテナ１２は、表示部１１の下に設けられる。印刷部１３は、表示部１１とアンテナ１２の横に設けられる。
アンテナ１２は、発行機１０の正面側からアンテナ１２と対向して位置されるＩＣカードと非接触通信を行い、ＩＣカードに搭載されるＩＣチップに対して情報の読み書きを行う。
印刷部１３は、割引券の原紙を内部に収容し、発行機１０により生成された二次元コードを原紙に印刷して、二次元コードが印刷された割引券を排出口１３１から排出する。
【００１２】
次に、図３を参照して、実施形態に係るチケット処理装置７０の一例について説明する。図３は、実施形態に係るチケット処理装置７０の一例を示す概略図である。
図３（Ａ）は、チケット処理装置７０を正面から見た図であり、図３（Ｂ）は、チケット処理装置７０を横から見た図である。ここでは、チケット処理装置７０を正面から見たときに底面又は上面の外縁と平行である直線をＸ２軸とする。また、チケット処理装置７０を横から見たときに底面又は上面の外縁と平行である直線をＹ２軸、鉛直上方をＺ２軸とする。
【００１３】
チケット処理装置７０は、表示部７１と、アンテナ７２と、カメラ７３とを備える。表示部７１は、チケット処理装置７０の正面に設けられる。アンテナ７２は、表示部７１の下に設けられる。カメラ７３は、アンテナ７２の中央であって、チケット処理装置７０の正面側にレンズが向けられる位置に設けられる。
アンテナ７２は、チケット処理装置７０の正面側からアンテナ７２と対向して位置されるＩＣカードに搭載されるＩＣチップと非接触通信を行い、ＩＣカードに搭載されるＩＣチップに対して情報の読み書きを行う。
カメラ７３は、チケット処理装置７０の正面側からカメラ７３と対向して位置される二次元コードを撮影して、撮影した画像をチケット処理装置７０の内部に搭載される制御部に出力する。
【００１４】
実施形態では、チケット処理装置７０の正面から見て、アンテナ７２が、カメラ７３の光軸Ａを囲むように配置されている。また、チケット処理装置７０の正面から見て、アンテナ７２とカメラ７３とは、チケット処理装置７０の正面に設けられた読み取りエリアＥ内に配置される。図示の例では、アンテナ７２の方がカメラ７３のレンズよりも大きいため、カメラ７３がアンテナ７２の内側に配置される位置関係となっている。
つまり、対向して配置されるＩＣカードに対してアンテナ７２がＩＣチップと通信可能な領域と、対向した配置される二次元コードが記載された媒体に対してカメラ７３が二次元コードを撮影可能な領域とは、少なくとも一部において重複している。実施形態では、チケット処理装置７０の正面から見て、アンテナ７２がＩＣチップと通信可能な領域の中央部分と、カメラ７３が二次元コードを撮影可能な領域とが重複している。
利用者は、二次元コードがカメラ７３に撮影されるように、二次元コードが記載された媒体の方がチケット処理装置７０に近い側となるように、ＩＣカードと二次元コードが記載された媒体を重ねて、アンテナ７２及びカメラ７３に向けて翳す。この利用者の操作により、チケット処理装置７０は、ＩＣカードから情報を読み取り可能な状態において、二次元コードから情報を読み取ることができる。
【００１５】
次に、図４を参照して、実施形態に係るチケット処理システム１の構成例について説明する。図４は、実施形態に係るチケット処理システム１の構成例を示すブロック図である。
発行機１０は、上記構成に加え、リーダー部１４と、通信部１５と、記憶部１６と、発行部１７と、操作部１８とを備える。
表示部１１は、発行機１０による処理結果や利用者への操作案内を表示する。
アンテナ１２は、発行機１０の正面においてアンテナ１２と対向する所定の読み取り位置、つまり、通信エリア内に配置されたＩＣカードと非接触の通信を行う。
印刷部１３は、発行部１７から二次元コード情報を入力し、入力した二次元コード情報に基づき二次元コードを原紙に印刷する。
リーダー部１４は、アンテナ１２が通信するＩＣチップから情報を読み取る。実施形態において、リーダー部１４は、ＩＣカードに内蔵されるＩＣチップから、ＩＣカードに割り当てられた固有の識別情報（以下、電子ＩＤ情報という）等を読み取る。
【００１６】
通信部１５は、ネットワークを介して、センターサーバ３０との間で情報の送受信を行う。
記憶部１６は、発行機１０の動作に必要な種々の情報を記憶する。発行機１０は、例えば割引券を作成するために必要な情報や、二次元コードを作成するために必要な情報等を記憶する。
発行部１７は、例えば、ＣＰＵ（Central Processing Unit）であって、発行機１０の動作を統括的に制御する制御部である。また、発行部１７は、ＣＰＵがプログラムを実行することにより、各処理を実行する機能部であってもよい。これら機能部の一部又は全部は、ＬＳＩ（Large Scale Integration）やＡＳＩＣ（Application Specific Integrated Circuit）などのハードウェア機能部であってもよい。
操作部１８は、利用者からの操作を受け付け、受け付けた操作内容を示す情報を制御部７７に出力する。
【００１７】
チケット処理装置７０は、上記構成に加え、リーダライタ部７４と、通信部７５と、記憶部７６と、制御部７７と、操作部７８とを備える。
表示部７１は、チケット処理装置７０による処理結果や利用者への操作案内を表示する。
アンテナ７２は、チケット処理装置７０の正面においてアンテナ７２と対向する所定の読み取り位置、つまり、通信エリア内に配置されたＩＣカードと非接触の通信を行う。
カメラ７３は、レンズと対向する所定の撮影位置に位置された二次元コードを撮影し、撮影した画像を制御部７７に出力する。
リーダライタ部７４は、アンテナ７２が通信するＩＣカードに内蔵されるＩＣチップから情報を読み取り、また、制御部７７の制御の下、ＩＣカードに内蔵されるＩＣチップに所定の情報を書き込ませる。実施形態において、リーダライタ部７４は、ＩＣカードに内蔵されるＩＣチップから、入場情報や、電子マネーの残額情報、ＩＣカードに割り当てられた識別情報（電子ＩＤ情報）等を読み取る。また、リーダライタ部７４は、ＩＣカードに内蔵されるＩＣチップに対して、出場情報や、使用した料金（以下、支払額という）が差し引かれた電子マネーの残額情報を書き込む。
【００１８】
通信部７５は、ネットワークを介して、センターサーバ３０との間で情報の送受信を行う。
記憶部７６は、チケット処理装置７０の動作に必要な種々の情報を記憶する。
制御部７７は、例えば、ＣＰＵ（Central Processing Unit）であって、チケット処理装置７０の動作を統括的に制御する制御部である。チケット処理装置７０は、ＣＰＵである制御部７７がプログラムを実行することにより機能する機能部として、二次元コード読取部７７１と、処理部７７２と、を備える。これら機能部の一部又は全部は、ＬＳＩ（Large Scale Integration）やＡＳＩＣ（Application Specific Integrated Circuit）などのハードウェア機能部であってもよい。
操作部７８は、利用者からの操作を受け付け、受け付けた操作内容を示す情報を制御部７７に出力する。
【００１９】
センターサーバ３０は、通信部３１と、記憶部３２と、制御部３３とを備える。
通信部３１は、ネットワークを介して、発行機１０又はチケット処理装置７０と間で情報の送受信を行う。
記憶部３２は、センターサーバ３０の動作に必要な種々の情報を記憶する。例えば、記憶部３２は、二次元コード情報の有効性を判定するための情報を記憶する。実施形態において、記憶部３２には、発行機１０が発行した二次元コードに関する情報を示すリスト（以下、発行リスト）３２１が記憶される。なお、発行リスト３２１の詳細については後述する。また、記憶部３２には、電子ＩＤ情報の有効性を判定するための情報が記憶されている。実施形態において、記憶部３２には、割引を適用できない電子ＩＤ情報を示すリスト（以下、ＩＤリスト）３２２が記憶されている。ＩＤリスト３２２には、例えば、過去に不正な使用がなされたＩＣカードや、紛失届が提出されているＩＣカード、割引券を発行した回数か有効回数を上回っているＩＣカード等の電子ＩＤ情報が記載されている。ＩＤリスト３２２は、自動的に更新されてもよく、係員によって更新されてもよい。
【００２０】
制御部３３は、例えば、ＣＰＵ（Central Processing Unit）であって、センターサーバ３０の動作を統括的に制御する制御部である。制御部３３の機能部の一部又は全部は、ＬＳＩ（Large Scale Integration）やＡＳＩＣ（Application Specific Integrated Circuit）などのハードウェア機能部であってもよい。
【００２１】
次に、図５を参照して、発行リスト３２１の一例について説明する。図５は、発行リスト３２１の一例を示す図である。
発行リスト３２１は、電子ＩＤ情報と、二次元コード情報と、有効性判定済フラグと、使用済フラグとを対応付けたテーブルである。
電子ＩＤ情報は、二次元コードが発行された電子ＩＤ情報である。
二次元コード情報は、電子ＩＤ情報に基づき生成された二次元コードに含まれる情報である。
【００２２】
有効性判定済フラグは、二次元コード情報の有効性が判定され、有効と判定されたか否かを示す情報である。実施形態において、有効性判定済フラグがオンである場合、有効性判定済フラグの欄に「１」が記憶されており、二次元コード情報の有効性が判定され、有効であると判定されたことを示す。一方、有効性判定済フラグがオフである場合、有効性判定済フラグの欄に「０」が記憶されており、二次元コード情報の有効性が判定されていない、又は、無効であると判定されたことを示す。なお、有効性判定済フラグは、第２の実施形態において利用される情報であるため、第１の実施形態ではなくてもよい。
【００２３】
使用済フラグは、二次元コード情報を用いた収受処理が完了したか否かを示す情報である。実施形態において、使用済フラグがオンである場合、使用済フラグの欄に「１」が記憶されており、二次元コード情報を用いた収受処理が完了したことを示す。一方、使用済フラグがオフである場合、使用済フラグの欄に「０」が記憶されており、二次元コード情報を用いた収受処理が完了していないことを示す。
【００２４】
次に、図６を参照して、実施形態に係る発行機１０による発行処理の一例について説明する。図６は、発行機１０による発行処理の一例について説明するためのフローチャートである。
発行部１７は、リーダー部１４がＩＣカードに搭載されたＩＣチップから電子ＩＤ情報を読み取ったか否かを判定する（ステップＳＴ１）。
例えば、利用者が、ＩＣカードをアンテナ１２と対向する位置に翳したとする。この利用者の操作方法については、発行部１７が表示部１１から表示させてもよい。
この場合、アンテナ１２がＩＣカードと通信を行い、リーダー部１４がＩＣカードのＩＣチップに記憶されている電子ＩＤ情報を読み取り、発行部１７に出力する。
リーダー部１４から電子ＩＤ情報が入力した場合、発行部１７は、リーダー部１４がＩＣカードに搭載されたＩＣチップから電子ＩＤ情報を読み取ったと判定する。
【００２５】
リーダー部１４がＩＣカードに搭載されたＩＣチップから電子ＩＤ情報を読み取ったと判定した場合、発行部１７は、通信部１５を介して、電子ＩＤ情報をセンターサーバ３０に送信する（ステップＳＴ２）。
センターサーバ３０の制御部３３は、通信部３１を介して、発行機１０から受信した電子ＩＤ情報の有効性を判定する（ステップＳＴ３，４）。実施形態において、制御部３３は、ＩＤリスト３２２を参照して、受信した電子ＩＤ情報が、ＩＤリスト３２２に含まれているか否かを判定する。受信した電子ＩＤ情報がＩＤリスト３２２に含まれていない場合、制御部３３は、受信した電子ＩＤ情報が有効であると判定する。一方、受信した電子ＩＤ情報がＩＤリスト３２２に含まれている場合、制御部３３は、受信した電子ＩＤ情報が無効であると判定する。
【００２６】
受信した電子ＩＤ情報が無効であると判定した場合（ステップＳＴ４−ＮＯ）、制御部３３は、ＩＣカードが使用不可であることを示す情報を発行機１０に送信する（ステップＳＴ５）。
発行機１０は、センターサーバ３０からＩＣカードが使用不可であることを示す情報を受信した場合、当該ＩＣカードでは割引券が発行できない旨を表示部１１から表示させて、発行処理を終了する（ステップＳＴ６）。つまり、電子ＩＤ情報が無効である場合、発行機１０は、割引券を発行しない。
【００２７】
一方、受信した電子ＩＤ情報が有効であると判定した場合（ステップＳＴ４−ＹＥＳ）、制御部３３は、ＩＣカードが使用可能であることを示す情報を発行機１０に送信する（ステップＳＴ７）。
発行機１０の発行部１７は、センターサーバ３０からＩＣカードが使用可能であることを示す情報を受信した場合、ＩＣカードから読み出した電子ＩＤ情報に基づき二次元コード情報を生成し、印刷部１３に出力する（ステップＳＴ８）。
印刷部１３は、発行部１７から入力する二次元コード情報に基づき、二次元コードを原紙に印刷し、割引券を発行し、処理結果を表示部１１に表示させる（ステップＳＴ９）。
そして、発行部１７は、生成した二次元コード情報と、二次元コード情報を生成するときに用いた電子ＩＤ情報とを対応付けてセンターサーバ３０に送信する（ステップＳＴ１０）。
センターサーバ３０は、発行機１０から受信した二次元コード情報と電子ＩＤ情報とを対応付けて、記憶部３２の発行リスト３２１に登録する（ステップＳＴ１１）。
【００２８】
次に、図７を参照して、実施形態に係るチケット処理システム１による出場処理の一例について説明する。図７は、チケット処理システム１による出場処理の一例について説明するためのフローチャートである。
ここで、入場側のチケット処理装置７０に対しては、ＩＣカードだけが翳されたとする。この場合、入場側のチケット処理装置７０は、ＩＣカードに入場情報を書き込む。
以下、出場側のチケット処理装置７０による出場処理の一例について説明する。チケット処理装置７０の処理部７７２は、リーダライタ部７４がＩＣカードに搭載されたＩＣチップから電子情報を読み取り可能な状態で、二次元コード情報と入場情報の両方を読み取ったか否かを判定する（ステップＳＴ２１）。
【００２９】
例えば、利用者が、入場情報が書き込まれたＩＣカードと二次元コードが記載された媒体とを重ねて、アンテナ７２とカメラ７３と対向する位置に翳したとする。具体的に説明すると、利用者は、二次元コードがカメラ７３に撮影されるように、二次元コードが記載された媒体の方がチケット処理装置７０に近い側となるように重ねて翳す。このような利用者の操作方法については、制御部７７が表示部７１から表示させてもよい。
この場合、アンテナ７２がＩＣカードと通信を行い、リーダライタ部７４がＩＣカードのＩＣチップに記憶されている入場情報を読み取り、処理部７７２に出力する。また、二次元コード読取部７７１は、カメラ７３が撮影する画像に基づき、二次元コードから二次元コード情報を読み取り、処理部７７２に出力する。
処理部７７２は、所定時間内に、リーダライタ部７４から入場情報が入力し、且つ、二次元コード読取部７７１から二次元コード情報が入力した場合、リーダライタ部７４がＩＣカードに搭載されたＩＣチップから電子情報を読み取り可能な状態で、二次元コード情報と入場情報の両方を読み取ったと判定する。
【００３０】
リーダライタ部７４がＩＣカードに搭載されたＩＣチップから電子情報を読み取り可能な状態で、二次元コード情報と入場情報の両方を読み取ったと判定した場合、処理部７７２は、通信部７５を介して、二次元コード情報をセンターサーバ３０に送信する（ステップＳＴ２２）。
センターサーバ３０の制御部３３は、通信部３１を介して、チケット処理装置７０から受信した二次元コード情報の有効性を判定する（ステップＳＴ２３，２４）。実施形態において、制御部３３は、発行リスト３２１を参照して、受信した二次元コード情報が、発行リスト３２１に含まれているか否かを判定する。受信した二次元コード情報が発行リスト３２１に含まれている場合、制御部３３は、受信した二次元コード情報が有効であると判定する。一方、受信した二次元コード情報が発行リスト３２１に含まれていない場合、制御部３３は、受信した二次元コード情報が無効であると判定する。
【００３１】
受信した二次元コード情報が無効であると判定した場合（ステップＳＴ２４−ＮＯ）、制御部３３は、二次元コードが使用不可であることを示す情報をチケット処理装置７０に送信する（ステップＳＴ２５）。
チケット処理装置７０は、センターサーバ３０から二次元コードが使用不可であることを示す情報を受信した場合、その旨を表示部７１から表示させて、出場処理を終了する（ステップＳＴ２６）。つまり、二次元コード情報が無効である場合、出場処理が完了していないため、チケット処理装置７０は、料金の収受を行わず、出場情報をＩＣカードに記録させない。
【００３２】
一方、受信した二次元コード情報が有効であると判定した場合（ステップＳＴ２４−ＹＥＳ）、制御部３３は、二次元コードが使用可能であることを示す情報をチケット処理装置７０に送信する（ステップＳＴ２７）。
チケット処理装置７０は、センターサーバ３０から二次元コードが使用可能であることを示す情報を受信した場合、二次元コード情報を用いた収受処理を実行し、処理結果を表示部７１に表示させる（ステップＳＴ２８）。つまり、二次元コード情報が有効である場合、チケット処理装置７０は、料金の収受を行い、出場情報をＩＣカードに記録させ、出場処理を完了させる。
【００３３】
次に、図８を参照して、実施形態に係るチケット処理システム１による二次元コード情報を用いた収受処理の一例について説明する。図８は、チケット処理システム１による二次元コード情報を用いた収受処理の一例について説明するためのフローチャートである。なお、この処理は、ステップＳＴ２８に相当する処理である。
処理部７７２は、有効であると判定された二次元コード情報から割引額を算出する（ステップＳＴ１０１）。
また、処理部７７２は、ＩＣカードから読み取った入場情報に基づき、チケット処理装置７０が設置される出口までの料金を算出する（ステップＳＴ１０２）。
そして、処理部７７２は、ステップＳＴ１０２で算出した料金を割引額で割り引いた後の支払額を算出する（ステップＳＴ１０３）。
【００３４】
処理部７７２は、ＩＣカードから読み取った電子マネーの残額情報に基づき、残額が、ステップＳＴ１０３で算出した支払額以上であるか否かを判定する（ステップＳＴ１０４）。
残額が支払額未満であると判定した場合（ステップＳＴ１０４−ＮＯ）、処理部７７２は、残額不足であることを表示部７１から表示させて、出場処理を終了させる（ステップＳＴ１０５）。
一方、残額が支払額以上であると判定した場合（ステップＳＴ１０４−ＹＥＳ）、処理部７７２は、支払額をＩＣチップに記憶された残高から差し引く処理を行う（ステップＳＴ１０６）。具体的に説明すると、処理部７７２は、残額から支払額を差し引いた金額を、ＩＣカードの電子マネーの残額情報として書き換えるよう、リーダライタ部７４を制御する。
【００３５】
そして、処理部７７２は、出場情報をＩＣカードに書き込むようリーダライタ部７４を制御する（ステップＳＴ１０７）。
処理部７７２は、二次元コード情報と、支払額の明細情報と、通信部７５を介して、センターサーバ３０に送信する（ステップＳＴ１０８）。支払額の明細情報には、支払額の金額、入場駅を示す情報、出場駅を示す情報等が含まれていてもよい。
センターサーバ３０は、通信部３１を介して、チケット処理装置７０から受信した二次元コード情報に対応する使用済フラグをオンにする情報を、記憶部３２の発行リスト３２１に書き込む（ステップＳＴ１０９）。実施形態において、センターサーバ３０の制御部３３は、受信した二次元コード情報に対応する使用済フラグの欄に、「１」を書き込む。なお、センターサーバ３０は、受信した明細情報と二次元コード情報とを対応付けた情報を、記憶部３２の所定の記憶領域に書き込む。
【００３６】
（第２の実施形態）
次に、図９を参照して、第２の実施形態に係る入場処理の一例について説明する。図９は、第２の実施形態に係る入場処理の一例について説明するためのフローチャートである。なお、第２の実施形態では、第１の実施形態で説明したチケット処理システム１の構成を利用可能であるため、チケット処理システム１を用いて以下説明する。
以下、入場側のチケット処理装置７０による入場処理の一例について説明する。チケット処理装置７０の処理部７７２は、リーダライタ部７４がＩＣカードに搭載されたＩＣチップから電子情報を読み取り可能な状態で、二次元コード情報と電子ＩＤ情報の両方を読み取ったか否かを判定する（ステップＳＴ３１）。
【００３７】
例えば、利用者が、ＩＣカードと二次元コードが記載された媒体とを重ねて、アンテナ７２とカメラ７３と対向する位置に翳したとする。具体的に説明すると、利用者は、二次元コードがカメラ７３に撮影されるように、二次元コードが記載された媒体の方がチケット処理装置７０に近い側にとなるように重ねて翳す。このような利用者の操作方法については、制御部７７が表示部７１から表示させてもよい。
この場合、アンテナ７２がＩＣカードと通信を行い、リーダライタ部７４がＩＣカードのＩＣチップに記憶されている電子ＩＤ情報を読み取り、処理部７７２に出力する。また、二次元コード読取部７７１は、カメラ７３が撮影する画像に基づき、二次元コードから二次元コード情報を読み取り、処理部７７２に出力する。
処理部７７２は、所定時間内に、リーダライタ部７４から電子ＩＤ情報が入力し、且つ、二次元コード読取部７７１から二次元コード情報が入力した場合、リーダライタ部７４がＩＣカードに搭載されたＩＣチップから電子情報を読み取り可能な状態で、二次元コード情報と電子ＩＤ情報の両方を読み取ったと判定する。
【００３８】
リーダライタ部７４がＩＣカードに搭載されたＩＣチップから電子情報を読み取り可能な状態で、二次元コード情報と電子ＩＤ情報の両方を読み取ったと判定した場合、処理部７７２は、通信部７５を介して、二次元コード情報と電子ＩＤ情報とをセンターサーバ３０に送信する（ステップＳＴ３２）。
センターサーバ３０の制御部３３は、通信部３１を介して、チケット処理装置７０から受信した二次元コード情報の有効性を判定する（ステップＳＴ３３、３４）。実施形態において、制御部３３は、発行リスト３２１を参照して、受信した二次元コード情報が、発行リスト３２１に含まれているか否かを判定する。受信した二次元コード情報が発行リスト３２１に含まれている場合、制御部３３は、受信した二次元コード情報が有効であると判定する。一方、受信した二次元コード情報が発行リスト３２１に含まれていない場合、制御部３３は、受信した二次元コード情報が無効であると判定する。
【００３９】
受信した二次元コード情報が無効であると判定した場合（ステップＳＴ３４−ＮＯ）、制御部３３は、二次元コードが使用不可であることを示す情報をチケット処理装置７０に送信する（ステップＳＴ３５）。ここで、制御部３３は、無効であると判定した二次元コード情報に対応する有効性判定済フラグをオフにする情報を、記憶部３２の発行リスト３２１に書き込んでもよい。実施形態において、センターサーバ３０の制御部３３は、無効であると判定した二次元コード情報に対応する有効性判定済フラグの欄に「０」を書き込む。
チケット処理装置７０は、センターサーバ３０から二次元コードが使用不可であることを示す情報を受信した場合、その旨を表示部７１から表示させて、入場処理を終了する（ステップＳＴ３６）。つまり、二次元コード情報が無効である場合、入場処理が完了していないため、チケット処理装置７０は、入場情報をＩＣカードに記録しない。
【００４０】
一方、受信した二次元コード情報が有効であると判定した場合（ステップＳＴ３４−ＹＥＳ）、制御部３３は、有効であると判定した二次元コード情報に対応する有効性判定済フラグをオンにする情報を、記憶部３２の発行リスト３２１に書き込む（ステップＳＴ３７）。実施形態において、センターサーバ３０の制御部３３は、有効であると判定した二次元コード情報に対応する有効性判定済フラグの欄に「１」を書き込む。
次いで、制御部３３は、二次元コードが使用可能であることを示す情報をチケット処理装置７０に送信する（ステップＳＴ３８）。
チケット処理装置７０は、センターサーバ３０から二次元コードが使用可能であることを示す情報を受信した場合、入場情報をＩＣカードに書き込み、処理結果を表示部７１に表示させる（ステップＳＴ３９）。
【００４１】
次に、図１０を参照して、図９に示す入場処理が実行されたＩＣカードを用いて出場処理を実行する場合の一例について説明する。図１０は、図９に示す入場処理が実行されたＩＣカードを用いて出場処理を実行する場合の一例について説明するためのフローチャートである。上述の通り、入場処理では、ＩＣカードと二次元コードが記載された媒体がチケット処理装置７０に翳されて、二次元コード情報がセンターサーバ３０の記憶部３２に記録され、入場情報がＩＣカードに書き込まれている。
ここで、出場側のチケット処理装置７０に対しては、ＩＣカードだけが翳されるとする。
チケット処理装置７０の処理部７７２は、入場情報と電子ＩＤ情報の両方を読み取ったか否かを判定する（ステップＳＴ４１）。
例えば、利用者が、入場情報が書き込まれたＩＣカードのみを、アンテナ７２と対向する位置で翳したとする。
この場合、アンテナ７２がＩＣカードと通信を行い、リーダライタ部７４がＩＣカードのＩＣチップに記憶されている入場情報と電子ＩＤ情報とを読み取り、処理部７７２に出力する。
処理部７７２は、同じタイミングの通信により、リーダライタ部７４から入場情報と電子ＩＤ情報とを入力した場合、入場情報と電子ＩＤ情報の両方を読み取ったと判定する。
【００４２】
入場情報と電子ＩＤ情報の両方を読み取ったと判定した場合、処理部７７２は、通信部７５を介して、電子ＩＤ情報をセンターサーバ３０に送信する（ステップＳＴ４２）。
センターサーバ３０の制御部３３は、通信部３１を介して、チケット処理装置７０から受信した電子ＩＤ情報に基づき、記憶部３２の発行リスト３２１の中から、受信した電子ＩＤ情報に対応付けられている二次元コード情報を検索する（ステップＳＴ４３）。制御部３３は、検索結果に基づき、二次元コード情報の有効性を判定する（ステップＳＴ４４）。実施形態において、制御部３３は、発行リスト３２１を参照して、受信した電子ＩＤ情報に対応付けられている有効性判定済フラグがオンであるか否かを判定する。受信した電子ＩＤ情報に対応付けられている有効性判定済フラグがオンである場合、制御部３３は、受信した二次元コード情報が有効であると判定する。一方、受信した電子ＩＤ情報に対応付けられている有効性判定済フラグがオフである場合、制御部３３は、受信した二次元コード情報が無効であると判定する。
【００４３】
受信した電子ＩＤ情報に対応付けられている二次元コード情報が無効であると判定した場合（ステップＳＴ４４−ＮＯ）、制御部３３は、二次元コードが使用不可であることを示す情報をチケット処理装置７０に送信する（ステップＳＴ４５）。
チケット処理装置７０は、センターサーバ３０から二次元コードが使用不可であることを示す情報を受信した場合、その旨を表示部７１から表示させて、出場処理を終了する（ステップＳＴ４６）。つまり、二次元コード情報が無効である場合、チケット処理装置７０による出場処理が完了していないため、料金の収受を行わず、出場情報をＩＣカードに記録させない。
【００４４】
一方、受信した電子ＩＤ情報に対応付けられている二次元コード情報が有効であると判定した場合（ステップＳＴ４４−ＹＥＳ）、制御部３３は、有効であると判定された二次元コード情報を送信して、二次元コードが使用可能であることをチケット処理装置７０に通知する（ステップＳＴ４７）。
チケット処理装置７０は、センターサーバ３０から二次元コード情報を受信した場合、受信した二次元コード情報を用いた収受処理を実行し、処理結果を表示部７１に表示させる（ステップＳＴ４８）。つまり、二次元コード情報が有効である場合、チケット処理装置７０は、料金の収受を行い、出場情報をＩＣカードに記録させ、出場処理を完了させる。
【００４５】
（第３の実施形態）
次に、図１１を参照して、第３の実施形態に係るチケット処理システム２の構成例について説明する。図１１は、第３の実施形態に係るチケット処理システム２の構成例を示す図である。
Ａ駅には、複数の発行機１０１，１０２と、複数のチケット処理装置７０１，７０２と、駅サーバ５０Ａとが設置されている。Ｂ駅には、複数の発行機１０３，１０４と、複数のチケット処理装置７０３，７０４と、駅サーバ５０Ｂとが設置されている。駅サーバ５０Ａと駅サーバ５０Ｂとは、ネットワークを介してセンターサーバ３０と接続されている。
駅サーバ５０Ａ，５０Ｂは、センターサーバ３０と定期的に通信を行い、記憶部３２に記憶されている発行リスト３２１やＩＤリスト３２２の送信を要求する。駅サーバ５０Ａ，５０Ｂは、センターサーバ３０から受信した発行リスト３２１やＩＤリスト３２２を自身の記憶部に記憶し、新しい情報をセンターサーバ３０から受信した場合、記憶する発行リスト３２１やＩＤリスト３２２を更新する。
駅サーバ５０Ａ，５０Ｂは、センターサーバ３０と同様の構成と機能を備え、複数のチケット処理装置７０１〜７０４との間で、入場処理又は出場処理等を実行する。
【００４６】
これにより、複数のチケット処理装置７０１〜７０４は、第１，２の実施形態においてセンターサーバ３０との間で行っていた処理を、駅サーバ５０Ａ，５０Ｂとの間の通信により行うことができる。よって、ローカルエリアネットワークでの通信により処理を実行することができるため、チケット処理装置７０による処理速度を向上させることができる。
【００４７】
上記各実施形態では、チケット処理装置７０は、第１の実施形態に係る図７の出場処理だけを実行するものでもよく、第２の実施形態に係る図９の入場処理と図１０の出場処理だけを実行するものであってよく、全ての入場処理と出場処理が実行できるものであってもよい。全ての入場処理と出場処理を実行する場合、チケット処理装置７０は、読み取った情報に応じて、処理を切り替える。例えば、処理部７７２は、ステップＳＴ２１，３１，４１の処理を平行して実行してもよい。リーダライタ部７４がＩＣカードに搭載されたＩＣチップから電子情報を読み取り可能な状態で、二次元コード情報と入場情報の両方を読み取ったと判定した場合、処理部７７２は、図７の出場処理を実行する。リーダライタ部７４がＩＣカードに搭載されたＩＣチップから電子情報を読み取り可能な状態で、二次元コード情報と電子ＩＤ情報の両方を読み取ったと判定した場合、処理部７７２は、図９の入場処理を実行する。入場情報と電子ＩＤ情報の両方を読み取ったと判定した場合、処理部７７２は、図１０の出場処理を実行する。
【００４８】
上記各実施形態において、発行機１０は、電子ＩＤ情報に基づき二次元コードを作成すると説明したがこれに限られない。発行機１０は、ＩＣカードから読み取ったその他の電子情報に基づき、二次元コードを作成してもよい。例えば、発行機１０は、ＩＣカードから読み取った、利用者の氏名、年齢、性別等を示す属性情報等に基づき二次元コードを作成してもよい。
【００４９】
上記各実施形態において、発行機１０は、二次元コードを印刷した割引券を発行した場合、二次元コード情報と電子ＩＤ情報とを対応付けてセンターサーバ３０に送信すると説明したがこれに限られない。発行機１０は、ＩＣチップに記憶される情報に基づき二次元コードの有効性を判定する処理装置によって参照可能な記憶部に、二次元コード情報と電子ＩＤ情報とを対応付けた情報を記憶させる。例えば、発行機１０は、駅サーバ５０Ａ，５０Ｂや他の外部サーバに、二次元コード情報と電子ＩＤ情報とを対応付けた情報を記憶してもよい。
【００５０】
上記各実施形態では、図６を参照して、発行機１０は、読み取った電子ＩＤ情報をセンターサーバ３０に送信すると説明したが、これに限られない。例えば、発行機１０は、自身の記憶部１６にＩＤリスト３２２を記憶しており、このＩＤリスト３２２を参照して電子ＩＤ情報の有効性を判定した後、割引券を発行してもよい。また、係員によりＩＣカードの利用者が認証されている場合、電子ＩＤ情報の有効性を判定せずに、割引券を発行してもよい。
【００５１】
上記各実施形態において、発行機１０は、ＩＣカードから、利用者の属性を示す属性情報を読み出し、属性に応じて割引条件を満たすか否かを判定し、利用者の属性が割引条件を満たす場合に、電子ＩＤ情報に基づき二次元コードを生成して割引券を発行してもよい。
【００５２】
上記各実施形態では、センターサーバ３０は、発行リスト３２１を参照して二次元コードの有効性を判定すると説明したがこれに限られない。例えば、センターサーバ３０は、二次元コード情報に基づき、二次元コード情報が偽造された情報であるか、有効期限内の情報であるか否か、二次元コード情報が利用可能な情報であるか否かを判定してもよい。
【００５３】
上記各実施形態では、チケット処理装置７０又はセンターサーバ３０は、二次元コード情報が無効であると判定された場合、二次元コード情報が無効であると判定されたＩＣカードの電子ＩＤ情報を不正使用者リストに登録してもよい。これにより、繰り返し不正使用を実行する利用者を特定することが可能となる。
【００５４】
上記各実施形態では、チケット処理装置７０が、発行リストを記憶部７６に記憶させ、センターサーバ３０からの情報に基づき更新してもよい。この場合、チケット処理装置７０は、センターサーバ３０との通信をしなくても、記憶部７６に記憶されている情報に基づき、二次元コード情報の有効性について判定することができる。
【００５５】
上記各実施形態において、処理部７７２は、二次元コード情報から割引額を算出する場合、二次元コード情報に含まれる割引情報から割引額を算出してもよく、二次元コード情報に応じて予め決められている割引額を記憶部７６又は外部サーバを参照して取得してもよい。
【００５６】
上記各実施形態において、チケット処理装置７０は、入場情報や出場情報をＩＣカードに書き込む際に、入場時刻や出場時刻を示す情報を書き込んでもよい。
【００５７】
上記各実施形態において、センターサーバ３０の制御部３３は、二次元コード情報と電子ＩＤ情報との両方を用いて、二次元コード情報の有効性を判定してもよい。例えば、制御部３３は、発行リストを参照して、受信した電子ＩＤ情報と二次元コード情報との組み合わせが、発行リストに対応付けられている組み合わせと一致するか否かを判定する。受信した電子ＩＤ情報と二次元コード情報との組み合わせが発行リストに対応付けられている組み合わせと一致する場合、又は、発行リストに含まれている場合、制御部３３は、受信した二次元コード情報が有効であると判定する。一方、受信した電子ＩＤ情報と二次元コード情報との組み合わせが発行処理リストに対応付けられている組み合わせと一致しない場合、又は、発行リストに含まれていない場合、制御部３３は、受信した二次元コード情報が無効であると判定する。
【００５８】
上記各実施形態において、センターサーバ３０の制御部３３は、図９の入場処理を実行する場合、有効性判定済フラグを用いずに、有効であると判定された二次元コードと電子ＩＤ情報とを対応付けた情報を有効リストに登録してもよい。この場合、センターサーバ３０の制御部３３は、図１０の出場処理を実行する場合、受信した電子ＩＤが有効リストに含まれているか否かに応じて二次元コード情報の有効性を判定してもよい。受信した電子ＩＤ情報が有効リストに含まれている場合、制御部３３は、受信した電子ＩＤ情報と対応付けられた二次元コード情報が有効であると判定する。一方、受信した電子ＩＤ情報が有効リストに含まれていない場合、制御部３３は、受信した電子ＩＤ情報と対応付けられた二次元コード情報が無効であると判定する。
【００５９】
以上説明した少なくともひとつの実施形態によれば、リーダー部１４がＩＣカードに搭載されたＩＣチップから読み取った電子情報に基づき作成された二次元コードを媒体に印刷する印刷部１３を持つことにより、ＩＣカードを利用して施設への入場又は出場を管理するシステムへの追加処理を簡単に実現することができる。
【００６０】
また、ＩＣカードには、従来から利用している入場情報の書き込みと出場情報の書き込みをするだけでよく、追加される割引サービスに関する情報を書き込まなくて済む。これにより、ＩＣカードの改造が必要なく、二次元コードが記載された媒体を利用することにより、ＩＣカードを利用して施設への入場又は出場を管理するシステムへの追加処理を簡単に実現することができる。
【００６１】
また、印刷部１３が、リーダー部１４がＩＣカードに搭載されたＩＣチップから読み取った電子情報に基づき作成された二次元コードを媒体に印刷することにより、二次元コードが記載された媒体とＩＣカードが併用された場合に限り、割引を適用することができる。これにより、二次元コード情報の不正利用を防ぐことができる。
【００６２】
また、発行機１０は、二次元コード情報を作成した際に用いた電子ＩＤ情報と二次元コード情報とを対応付けた情報を、センターサーバ３０等のＩＣチップに記憶される情報に基づき二次元コードの有効性を判定する処理装置によって参照可能な記憶部に記憶させる。これにより、チケット処理装置７０は、発行機１０に用いられたＩＣカード以外のＩＣカードを用いて、二次元コードの割引の適用した入場又は出場処理を禁止することができる。これにより、二次元コード情報の不正利用を防ぐことができる。
【００６３】
また、二次元コードが記載された媒体とＩＣカードが併用された場合、つまり、リーダライタ部７４がＩＣカードに搭載されたＩＣチップから電子情報を読み取り可能な状態で、二次元コード情報と電子ＩＤ情報（又は入場情報）の両方を読み取ったと判定した場合に限り、二次元コード情報を適用した入場又は出場を許可する。具体的に説明すると、チケット処理装置７０が、リーダライタ部７４がＩＣカードに搭載されたＩＣチップから電子情報を読み取り可能な状態で、二次元コード情報と電子ＩＤ情報（又は入場情報）の両方を読み取ったと判定した場合に限り、センターサーバ３０は、二次元コード情報の有効性を判定し、有効であると判定された場合に限り、二次元コード情報を適用した入場又は出場を許可する。これにより、二次元コード情報の不正利用を防ぐことができる。  
【００６４】
また、チケット処理装置７０は、発行リスト３２１を参照して、翳された二次元コードから読み取った二次元コード情報が有効性であると判定された場合、チケット処理装置７０が設置される入場施設に対応する入場情報をＩＣカードに書き込ませる。これにより、二次元コード情報を適用した入場が許可されたＩＣカードだけに、入場情報が書き込まれるため、二次元コード情報の不正利用を防ぐことができる。
【００６５】
また、チケット処理装置７０は、発行リスト３２１を参照して、翳された二次元コードから読み取った二次元コード情報が有効性であると判定された場合、又は、翳されたＩＣカードから読み取った電子ＩＤ情報と対応付けられた二次元コード情報が有効性であると判定された場合、入場情報に基づき算出される料金を二次元コード情報に基づき割り引いた支払額を、ＩＣカードのＩＣチップに記憶された残高から差し引く処理を行う。これにより、二次元コード情報を適用した出場が許可されたＩＣカードだけに対して、支払額の収受が実行され、出場情報が書き込まれるため、二次元コード情報の不正利用を防ぐことができる。
【００６６】
また、チケット処理装置７０は、二次元コード情報を用いた収受処理が完了した場合、使用された二次元コード情報に対応する発行リスト３２１の使用済フラグをオンにする。これによい、チケット処理装置７０は、二次元コード情報に基づき出場処理が完了した場合、同一の二次元コード情報を適用した入場又は出場を禁止することができる。例えば、二次元コードが記載された媒体が複数回使用された場合や、二次元コードが記載された媒体がコピーされて使用された場合であっても、１回割引が適用された二次元コード情報は、発行リスト３２１の使用済フラグがオンになる。このように、同じ二次元コード情報を用いた２回以上の使用を禁止することにより、二次元コード情報の不正使用を防止することができる。
【００６７】
また、チケット処理装置７０は、二次元コード情報を利用した割引が適用されたことを条件として、割引が適用された二次元コード情報に対応する発行リスト３２１の使用済フラグをオンにする。つまり、チケット処理装置７０は、二次元コード情報を用いた収受処理が終了した場合、割引が適用された二次元コード情報に対応する発行リスト３２１の使用済フラグをオンにする。これにより、二次元コード情報がチケット処理装置７０により読み取られたものの、例えば電子マネーの残額が足りずに電子決済されず、割引が適用されなかった場合、二次元コード情報は、使用済みの情報とならないため、次回の使用が可能となる。
【００６８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６９】
１…チケット処理システム、１０…発行機、１１…表示部、１２…アンテナ、１３…印刷部、１３１…排出口、１４…リーダー部、１５…通信部、１６…記憶部、１７…発行部、１８…操作部、３０…センターサーバ、３１…通信部、３２…記憶部、３３…制御部、７０…チケット処理装置、７１…表示部、７２…アンテナ、７３…カメラ、７４…リーダライタ部、７５…通信部、７６…記憶部、７７…制御部、７８…操作部、７７１…二次元コード読取部、７７２…処理部、７０１〜７０４…チケット処理装置、５０Ａ，５０Ｂ…駅サーバ
【図１】
2015176342.tif 000003
【図２】
2015176342.tif 000004
【図３】
2015176342.tif 000005
【図４】
2015176342.tif 000006
【図５】
2015176342.tif 000007
【図６】
2015176342.tif 000008
【図７】
2015176342.tif 000009
【図８】
2015176342.tif 000010
【図９】
2015176342.tif 000011
【図１０】
2015176342.tif 000012
【図１１】
2015176342.tif 000013